(57)【要約】      （修正有）【課題】充電電源の中で最良の充電モジュールを確認した後、電流によってモバイル電源に対して充電を行い、最良の充電効率を得るスマホ型モバイル電源を提供する。【解決手段】スマホ型モバイル電源は、少なくとも入力インターフェイス１１、検出ユニット１２、制御モジュール１３、電源管理ユニット１４、蓄電ユニット１５及び出力インターフェイス１６を含む。検出ユニットは、該入力インターフェイスと連接し、入力インターフェイスが受けた充電電源を検出し、相互に対応する検出信号を得る。制御モジュールは検出ユニットと連接し、検出信号を受けて演算比較して電流選択ユニット１３２から相互に対応する充電ソースの充電モジュールを得る。蓄電ユニットは電源管理ユニットを通じて充電モジュールを受けて充電する。【選択図】図２
0003191084.tif 000002
【実用新案登録請求の範囲】
【請求項１】
スマホ型モバイル電源において、少なくとも、
充電電源を受けるのに用いる入力インターフェイスと、
該入力インターフェイスと連接し、該充電電源を検出して相互に対応する検出信号を得る検出ユニットと、
該検出ユニットと連接し、該検出信号を受けて運算比較を行い、上述の充電電源に相互に対応する充電モジュールを得る制御モジュールと、
該制御モジュールと連接する電源管理ユニットと、
該電源管理ユニットと連接し、該電源管理ユニットを通じ上述の充電モジュールを受けて充電を行う蓄電ユニットと
該電源管理ユニットと連接する出力インターフェイスを含むことを特徴とするスマホ型モバイル電源。
【請求項２】
前記制御モジュールは、相互に連接した演算ユニット及び電流選択ユニットを設置し、該電流選択ユニットは多種類の充電モジュールを備え、該演算ユニットは検出信号に基づいて演算比較して、更に該電流選択ユニットを制御して、そのうちの一充電モジュールを選択して連通することを特徴とする請求項１記載のスマホ型モバイル電源。
【請求項３】
前記モバイル電源は、更に表示ユニットを設置し、該表示ユニットは該電源管理ユニットと連接することを特徴とする請求項１または２記載のスマホ型モバイル電源。
【請求項４】
前記蓄電ユニットは、補充式電池とすることを特徴とする請求項１または２記載のスマホ型モバイル電源。
【考案の詳細な説明】
【技術分野】
【０００１】
本考案は、スマホ型モバイル電源に関するもので、特に最良の充電モジュールを自動調整するスマホ型モバイル電源に係わる。
【背景技術】
【０００２】
デジタル電子製品は現代人にとって必需品であり、家庭生活、旅行先、出張または仕事等必要に応じ、デジタル製品、例として外出旅遊先でのデジタルビデオ、デジタルカメラ、更にはMP４ デジタルビデオプレイヤー等及び出張で商談の際、必ずPDFやノートパソコン等を使用することが多く、非常に便利である。
【０００３】
屋外での『携帯使用』、または『商業電力のないところでの電力供給』 を受けるデジタル電子製品にとって、その電池の電気供給を問うと、ユーザーにとっては悪夢でしかない。出荷元の電池は高すぎ、それでいて電気供給時間は短い。更に電池に充電しながら電池の電力を供給することができず、不満が残る。デジタル電子製品は、まったく十分に運用することができない。拠って、モバイル電源が出現した。
【０００４】
市場のモバイル電源は、ユーザー要求に応えるため、益々高容量、低コストの方向で発展している。しかしながら、電池容量が増えれば、充電時間もそれに従って長くなり、ユーザーは旧来の充電器を使って電力ソースとするため、コストは低くなるものの、ユーザーの旧来の充電器はモバイル電源充電に対しての設計ではないため、モバイル電源は旧来の充電器を電力ソースとして合理的に使用できない。また基本機能の電力ソースとして使用できるだけである。例として、充電器の出力規格は電圧５v，電流１.５Aであるが、モバイル電源の充電時には電圧５v，電流０.５Aの電力で充電できるだけで大幅に充電効率が下がったり、もしくは多種の充電器(例として携帯電話充電器、MP３充電器、パソコンもしくはノートパソコンのUSB充電器)はその出力規格がすべて異なったりする。
【考案の概要】
【考案が解決しようとする課題】
【０００５】
解決しようとする問題点は、公知のモバイル電源は単一の充電モジュールを備えるだけという点である。
【課題を解決するための手段】
【０００６】
本考案は、少なくとも入力インターフェイス、検出ユニット、制御モジュール、電源管理ユニット、蓄電ユニット及び出力インターフェイスを含む。該検出ユニットは、該入力インターフェイスと連接し、該入力インターフェイスが受けた充電電源を検出するのに用い、相互に対応する検出信号を得る。該制御モジュールは該検出ユニットと連接し、該検出信号を受けて演算比較して相互に対応する上述充電ソースの充電モジュールを得る。該蓄電ユニットは該電源管理ユニットを通じて上述の充電モジュールを受けて充電することを最も主要な特徴とする。
【考案の効果】
【０００７】
本考案のスマホ型モバイル電源は、充電電源の中で最良の充電モジュールを確認した後、電流によってモバイル電源に対して充電を行い、最良の充電効率を得るという利点がある。
【図面の簡単な説明】
【０００８】
【図１】本考案のモバイル電源の構造立体図である。
【図２】本考案のモバイル電源の構造指示図である。
【図３】本考案のモバイル電源の別の構造指示図指示図である。
【図４】本考案のモバイル電源の別の構造立体図である。
【考案を実施するための形態】
【０００９】
最良の充電モジュールを自動で調整するスマホ型モバイル電源を提供することを本考案の主な目的とする。
【００１０】
上述の目的を達成するため、本考案のモバイル電源は、少なくとも入力インターフェイス、検出ユニット、制御モジュール、電源管理ユニット、蓄電ユニット及び出力インターフェイスを含む。該検出ユニットは、該入力インターフェイスと連接し、該入力インターフェイスが受けた充電電源を検出するのに用い、相互に対応する検出信号を得る。該制御モジュールは該検出ユニットと連接し、該検出信号を受けて演算比較を行い、相互に対応する上述の充電電源の充電モジュールを得る。該蓄電ユニットは該電源管理ユニットを通じて上述の充電モジュールを受け充電する。
【００１１】
そのうち、本考案を通して充電電源に最良の充電モジュールを確認した後、その電流でモバイル電源に対して充電し、最良の充電効率を達成する。
【実施例１】
【００１２】
本考案の特徴を、図式と共に、実施例を挙げて詳細に説明する。
【００１３】
図１に示すのは、本考案モバイル電源の構造立体図であり、図２は本考案モバイル電源の構造指示図である。本考案のモバイル電源１０は、少なくとも入力インターフェイス１１、検出ユニット１２、制御モジュール１３、電源管理ユニット１４、蓄電ユニット１５及び出力インターフェイス１６を含む。
【００１４】
該入力インターフェイス１１は、充電器２０を連接して充電電源を受け取る。充電器２０は携帯電話充電器、MP３充電器、パソコンもしくはノートパソコンのUSBに電気を供給するプラグ等とする。当然、該パソコンもしくはノートパソコンのUSB充電器は充電電源の他に、信号伝送も提供する。
【００１５】
該検出ユニット１２は、該入力インターフェイス１１と連接し、該充電電源を検出するのに用い、相互に対応する検出信号を得る。
【００１６】
該制御モジュール１３は、該検出ユニット１２と連接し、図に示す実施例において、該制御モジュール１３は相互に連接する演算ユニット１３１及び電流選択ユニット１３２を設置する。該電流選択ユニット１３２は多種類の充電モジュール(例として電流、電圧大きさが異なる充電モジュール)を備え、該制御モジュール１３は該検出信号を受けて演算比較を行い、相互に対応する上述の充電電源の最良の充電モジュールを得る。
【００１７】
該電源管理ユニット１４は該制御モジュール１３と連接し、該蓄電ユニット１５の充電、放電の状態もしくはモジュールを制御する。該蓄電ユニット１５は該電源管理ユニット１４と連接し、該蓄電ユニット１５は補充式電池とし、該電源管理ユニット１４の制御を受け、異なるモジュールの充電もしくは放電を行う。
【００１８】
該出力インターフェイス１６は、該電源管理ユニット１４と連接し、被充物(図示せず)を電気連接し、被充物に対して充電する。
【００１９】
使用時、該入力インターフェイス１１によって充電器２０を電気連接して充電電源を受ける。続いて該検出ユニット１２によって該充電電源を検出し、相互に対応する検出信号を得る。更に該演算ユニット１３１によって該検出信号を受け、且つ検出信号によって運算比較し、該電流選択ユニット１３２は該運算比較の結果、相互に対応する充電モジュールを選択して通じ、該電源管理ユニット１４は上述の充電モジュールを受けて該蓄電ユニット１５を制御して充電する。当然、上述の演算ユニット１３１内は、予め異なる検出信号に対応する充電モジュールを保存して比較する。
【００２０】
特に、本考案で充電電源の最良の充電モジュールを確認した後、電流によってモバイル電源に対して充電を行い、充電時間を短縮し、最良の充電効率を達成する。
【実施例２】
【００２１】
更に、図３及び図４の別の実施例に示すとおり、該モバイル電源は、更に表示ユニット１７を設置する。該表示ユニット１７は該電源管理ユニット１４と連接し、該蓄電ユニット１５の残りの電量もしくはその充電、放電の状態もしくはモジュールを表示するのに用い、ユーザーの参考とする。
【００２２】
上述に示すとおり、本考案は実施可能なスマホ型モバイル電源を提供し、実用新案登録を申請する。本考案の技術内容及び技術特徴は上述に示すとおりであるが、当領域に習熟した者が本考案の精神から乖離しない入替え及び修飾を提示することがあるため、本考案の請求範囲は、実施例に制限されず、各種本考案に乖離しない入替え及び修飾もすべて以下の請求範囲に含むこととする。
【符号の説明】
【００２３】
１０      モバイル電源
１１      入力インターフェイス
１２      検出ユニット
１３      制御モジュール
１３１    演算ユニット
１３２    電流選択ユニット
１４      電源管理ユニット
１５      蓄電ユニット
１６      出力インターフェイス
１７      表示ユニット
２０      充電器
【図１】
0003191084.tif 000003
【図２】
0003191084.tif 000004
【図３】
0003191084.tif 000005
【図４】
0003191084.tif 000006